(57)【特許請求の範囲】
【請求項１】
第１のベルト（１）と第２のベルト（２）とを連結するとともに、前記第２のベルト（２）を長さ調節可能に係止するベルト調節具において、
２本の横軸材（１１，１２）および２本の縦軸材（１３，１４）から構成された枠体（１０）と、
前記枠体（１０）の一方の横軸材（１１）側に設けられ前記第１のベルト（１）を挿通係止する第１ベルト係止部（２０）と、
前記枠体（１０）の２本の縦軸材（１３，１４）間に設けられ前記第２のベルト（２）を巻回させて前記枠体（１０）の裏面側に折り返すベルト巻回軸材（３１）、および、前記ベルト巻回軸材（３１）の近傍の前記２本の縦軸材（１３，１４）間に設けられ前記第２のベルト（２）の折り返し部に当接して屈曲させる当接軸材（３３）を有する第２ベルト係止部（３０）と、
前記当接軸材（３３）より前記枠体（１０）の他方の横軸材（１２）側に設けられた指掛部（４０）とを備え、
前記指掛部（４０）には、前記枠体（１０）の表面側から裏面側に貫通する貫通孔（４１）が形成されているとともに、
前記貫通孔（４１）は、前記枠体（１０）の縦軸材（１３，１４）側の両端から中央に向かうに従って前記枠体（１０）の縦軸材（１３，１４）方向の寸法が次第に大きくなる形状に形成され、
前記当接軸材（３３）は、前記枠体（１０）の他方の横軸材（１２）に対向する面が、前記枠体（１０）の表面側から裏面側に向かうに従って前記枠体（１０）の一方の横軸材（１１）側に傾斜する傾斜面（３３Ａ）に形成され、
前記傾斜面（３３Ａ）、前記横軸材（１２）の裏面および前記貫通孔（４１）を含んで指を案内するガイド部が前記指掛部（４０）の裏面側に形成されていることを特徴とするベルト調節具。
【請求項２】
前記貫通孔（４１）は、前記当接軸材（３３）と前記枠体（１０）の他方の横軸材（１２）との間でかつこれらの軸材（３３，１２）の長手方向略中央位置に設けられ、
前記枠体（１０）の他方の横軸材（１２）は、裏面側両端から裏面側中央に向かうに従って枠体（１０）の表面側に向かって湾曲する湾曲面（１２Ａ）によって形成され、この湾曲面（１２Ａ）を含んで前記ガイド部が構成されていることを特徴とする請求項１に記載のベルト調節具。
【請求項３】
前記貫通孔（４１）を囲む前記他方の横軸材（１２）および当接軸材（３３）からなる形状が略三角形であることを特徴とする請求項１または請求項２に記載のベルト調節具。
【請求項４】
前記当接軸材（３３）は、表面側が前記ベルト巻回軸材（３１）および前記枠体（１０）の他方の横軸材（１２）の表面側より裏面側に位置されていることを特徴とする請求項１〜３のいずれかに記載のベルト調節具。
【発明の詳細な説明】
【技術分野】
【０００１】
本発明は、第１のベルトと第２のベルトとを連結するとともに、第２のベルトを長さ調節可能に係止するベルト調節具に関する。
【背景技術】
【０００２】
従来、固定用ベルトと長さ調節用ベルトとを連結するベルト調節具として、特許文献１に記載のベルト調節具が知られている。
このベルト調節具は、図１０および図１１に示すように、基部１０１、この基部１０１の両端から互いに平行にかつ同じ側に延びる一対の脚部１０２、および、この脚部１０２を基部１０１とは反対側において連結する連結部１０３を有する枠体１０４と、枠体１０４の連結部１０３寄りにおいて一対の脚部１０２間に一体に設けられたベルト装着杆１０５と、枠体１０４の基部１０１寄りにおいて一対の脚部１０２間に一体に設けられたベルト折返杆１０６と、基部１０１のベルト折返杆１０６側に表面側から裏面側に向かって直角に設けられたベルト受部１０７と、基部１０１のベルト折返杆１０６とは反対側に台形形状に突出して設けられた把持部１０８とを備える構成である。
【０００３】
使用にあたっては、固定用ベルト１００Ａを、ベルト装着杆１０５とベルト折返杆１０６の間を通して裏面側から表面側に通し、次いで、ベルト装着杆１０５と連結部１０３の間を介して表面側から裏面側に通した後、鋲着または縫着により固定する。一方、長さ調節用ベルト１００Ｂを、ベルト装着杆１０５とベルト折返杆１０６の間を介して裏面側から表面側に通し、次いで、ベルト折返杆１０６とベルト受部１０７の間を介して表面側から裏面側に通す。
【０００４】
この状態において、長さ調節用ベルト１００Ｂの長さを調節するには、把持部１０８に指を掛け、連結部１０３側を中心にして全体を長さ調節用ベルト１００Ｂから離れる方向（図１１中反時計方向）へ回転させる。すると、ベルト受部１０７が長さ調節用ベルト１００Ｂから離れ、長さ調節用ベルト１０１Ｂの屈曲角度が緩くなるため、長さ調節用ベルト１００Ｂの先端側を引っ張れば、長さ調節用ベルト１００Ｂを任意の長さに調節することができる。
【０００５】
【特許文献１】実公昭６４−６０９８号公報（図１，５，６，７）
【発明の開示】
【発明が解決しようとする課題】
【０００６】
特許文献１では、把持部１０８の幅寸法が基部１０１の幅寸法に対して１／２以下程度しかないため、指で摘みづらい。
また、把持部１０８には、表面側から裏面側に貫通する孔１０９が形成されているが、その孔１０９の形状は、把持部１０８の輪郭形状と相似形の台形形状であるため、孔１０９の中央に指をガイドする機能をもってはいない。そのため、指で把持部１０８を摘んだとき、把持部１０８の片寄った位置を摘んで全体（ベルト調節具）を回転させると、ベルト調節具が片寄った姿勢で回転されるため、長さ調節用ベルト１００Ｂの長さ調整がスムーズに行えない場合が生じる。
また、指で把持部１０８を摘んで回転させる際、把持部１０８の裏面側は平坦であるため、滑りやすいうえ、把持部１０８の裏面からベルト調節具を傾いて回転させてしまう場合がある。このような場合も、上記と同様に、長さ調節用ベルト１００Ｂの長さ調整がスムーズに行えない場合が生じる。
【０００７】
本発明の目的は、ベルトの長さ調節作業を容易にかつ正確に行うことができるベルト調節具を提供することである。
【課題を解決するための手段】
【０００８】
本発明のベルト調節具は、第１のベルトと第２のベルトとを連結するとともに、前記第２のベルトを長さ調節可能に係止するベルト調節具において、２本の横軸材および２本の縦軸材から構成された枠体と、前記枠体の一方の横軸材側に設けられ前記第１のベルトを挿通係止する第１ベルト係止部と、前記枠体の２本の縦軸材間に設けられ前記第２のベルトを巻回させて前記枠体の裏面側に折り返すベルト巻回軸材、および、前記ベルト巻回軸材の近傍の前記２本の縦軸材間に設けられ前記第２のベルトの折り返し部に当接して屈曲させる当接軸材を有する第２ベルト係止部と、前記当接軸材より前記枠体の他方の横軸材側に設けられた指掛部とを備え、前記指掛部には、前記枠体の表面側から裏面側に貫通する貫通孔が形成されているとともに、前記貫通孔は、前記枠体の縦軸材側の両端から中央に向かうに従って前記枠体の縦軸材方向の寸法が次第に大きくなる形状に形成され、前記当接軸材は、前記枠体の他方の横軸材に対向する面が、前記枠体の表面側から裏面側に向かうに従って前記枠体の一方の横軸材側に傾斜する傾斜面に形成され、前記傾斜面、前記横軸材の裏面および前記貫通孔を含んで指を案内するガイド部が前記指掛部の裏面側に形成されていることを特徴とする。
【０００９】
この発明によれば、第１のベルトを第１ベルト係止部に挿通係止する一方、第２のベルトを第２ベルト係止部のベルト巻回軸材に旋回させて枠体の裏面側に折り返し、その折り返し先端を第２のベルトに沿って同方向へ引き出す。すると、その折り返し部に当接軸材が当接して第２のベルトが屈曲されるため、つまり、当接軸材によって第２のベルトには引っ張り方向に対して大きな抵抗が生じているから、第１のベルトあるいは第２のベルトの長手方向に張力が掛かっても、第２のベルトの緩みが阻止される。
【００１０】
第２のベルトの長さを調節するには、指（通常は親指と人指指）で指掛部を摘み、枠体を一方の横軸材側を支点として枠体の表面側に回転させる。すると、当接軸材によって屈曲された第２のベルトの屈曲度合いが緩くなるので、つまり、引っ張り抵抗が小さくなるので、この状態において、第２のベルトを引っ張れば、任意の長さに調節できる。
この長さ調節にあたって、親指と人差指とで指掛部を摘んだとき、これら２本の指の腹が貫通孔に位置するため、摘みやすい。しかも、貫通孔に指を案内するガイド部が形成されているから、指を貫通孔の適正位置に位置させることができる。そのため、その後、枠体を一方の横軸材側を支点として回転させる際も、枠体が傾いて回転することがないので、ベルトの長さ調節作業を容易にかつ正確に行うことができる。
【００１１】
この発明では、前記ガイド部は、前記指掛部の裏面側に設けられているので、第２のベルトの長さを調節するにあたって、親指と人差指とで指掛部を摘んで、枠体を一方の横軸材側を支点として枠体の表面側に回転させる際、枠体の裏面側に挿入される指が、ガイド部によって貫通孔の適正位置に位置されるため、枠体が傾いて回転することがなく、軽い力で回転させることができる。
通常、親指と人差指とで指掛部を摘んで枠体を表面側に回転させる際、枠体の裏面側に挿入される指が枠体を引き起こす役目を果たす。本発明では、枠体の裏面側に挿入される指が貫通孔の適正位置に位置されるため、枠体が傾いて回転することもなく、軽い力で回転させることができる。
この発明では、貫通孔が、両端から中央に向かうに従って枠体の縦軸材方向の寸法が次第に大きくなる形状に形成されているから、貫通孔の片寄った位置を指で摘んだとしても、摘んだときの指の感覚から、貫通孔の片寄った位置を摘んだことを認識させることができる。従って、貫通孔の片寄った位置を指で摘んだまま、枠体を傾いて回転させるようなことを防止できる。
この発明では、前記当接軸材は、前記枠体の他方の横軸材に対向する面が、前記枠体の表面側から裏面側に向かうに従って前記枠体の一方の横軸材側に傾斜する傾斜面に形成され、この傾斜面を含んで前記ガイド部が構成されているので、親指と人差指とで指掛部を摘む際、枠体の裏面側に挿入される指の先端を、当接軸材の傾斜面によって奥部へ挿入することができるから、親指と人差指とで指掛部をしっかりと摘むことができる。
【００１２】
本発明のベルト調節具において、前記貫通孔は、前記当接軸材と前記枠体の他方の横軸材との間でかつこれらの軸材の長手方向略中央位置に設けられ、前記枠体の他方の横軸材は、裏面側両端から裏面側中央に向かうに従って枠体の表面側に向かって湾曲する湾曲面によって形成され、この湾曲面を含んで前記ガイド部が構成されていることが好ましい。
この発明によれば、貫通孔が、当接軸材と他方の横軸材との間で、これらの軸材の長手方向略中央位置に設けられているとともに、枠体の他方の横軸材が、裏面側両端から裏面側中央に向かうに従って枠体の表面側に向かって湾曲する湾曲面によって形成され、この湾曲面を含んでガイド部が構成されているから、親指と人差指とで指掛部を摘む際、枠体の裏面側に挿入される指が湾曲面によって枠体の中央に位置されるから、枠体を傾くことなく回転させることができる。
【００１４】
本発明のベルト調節具において、前記貫通孔を囲む前記他方の横軸材および当接軸材からなる形状が略三角形であることが好ましい。
第２のベルトを第２ベルト係止部のベルト巻回軸材に旋回させて枠体の裏面側に折り返し、その折り返し先端を第２のベルトに沿って同方向へ引き出し、その折り返し部に当接軸材が当接した状態においては、第１のベルトあるいは第２のベルトの長手方向に張力が掛かると、当接軸材にも大きな負荷が働く。
本発明では、貫通孔を囲む他方の横軸材および当接軸材からなる形状が略三角形であるから、つまり、トラス構造であるから、構造的にも変形が少なく、強い構造にできる。
【００１５】
本発明のベルト調節具において、前記当接軸材は、表面側が前記ベルト巻回軸材および前記枠体の他方の横軸材の表面側より裏面側に位置されていることが好ましい。
この発明によれば、親指と人差指とで指掛部を摘む際、枠体の表面側に当てる指を、ベルト巻回軸材および他方の横軸材の間に位置させると、その指の腹が当接軸材の表面側に当接するとともに、貫通孔に位置するため、指がガイドされるとともに、回転時の指の位置ずれを防止できる。
【発明を実施するための最良の形態】
【００１７】
以下、本発明の実施形態を図面に基づいて説明する。
図１は本実施形態のベルト調節具を示す斜視図、図２は同ベルト調節具の正面図、図３は同ベルト調節具の平面図、図４は同ベルト調節具の底面図、図５は同ベルト調節具の側面図である。図６は図２のVI−VI線断面図、図７は図６にベルトを取り付けた状態を示す図、図８はベルトの長さを調節する前の状態を示す図、図９はベルトの長さ調整にあたって回転させた際の図である。
【００１８】
＜構成＞
本実施形態のベルト調節具は、図１および図７〜図９に示すように、第１のベルトとしての固定用ベルト１と第２のベルトとしての長さ調節用ベルト２とを連結するとともに、長さ調節用ベルト２を長さ調節可能に係止するベルト調節具であって、合成樹脂の射出成形などによって略縦多角形状に構成された枠体１０を備える。
【００１９】
枠体１０は、図１〜図６に示すように、２本の横軸材１１，１２と、これら２本の横軸材１１，１２の両端間を一体的に連結する２本の縦軸材１３，１４とを含み、全体として略縦長五角形状に構成されている。
横軸材１１，１２のうち、横軸材１１は、幅寸法が長さ方向において一様で、かつ、厚みが両端から中央に向かうに従って次第に肉厚になるように形成されている（図２および図３参照）。横軸材１２は、正面から見た形状が、両端から中央に向かうに従って枠体１０の外方へ向かって傾斜する斜辺に形成されているとともに、底面から見た形状が、両端から中央に向かうに従って枠体１０の表面側に向かって湾曲する形状に形成されている（図２および図４参照）。つまり、横軸材１２の表面側および裏面側の形状は、両端から中央に向かうに従って枠体１０の表面側に向かって湾曲する湾曲面１２Ａによって形成されている。ここで、横軸材１２の裏面側に形成された湾曲面１２Ａを含んでガイド部が構成されている。
縦軸材１３，１４は、横軸材１１から横軸材１２に向かうに従って、枠体１０の表面側に傾斜したのち、枠体１０の裏面側に傾斜する「く」の字形状に形成されているとともに、幅寸法が横軸材１１から中央に向かうに従って次第に幅広に形成されたのち、中央から横軸材１２に向かって同じ幅寸法に形成されている。
【００２０】
枠体１０には、一方の横軸材１１側に第１のベルトである固定用ベルト１を挿通係止する第１ベルト係止部２０が、２本の縦軸材１３，１４間の中間部分に第２のベルトである長さ調節用ベルト２を長さ調節可能に係止する第２ベルト係止部３０が、他方の横軸材１２側に指掛部４０がそれぞれ設けられている。
【００２１】
第１ベルト係止部２０は、枠体１０の２本の縦軸材１３，１４間において、一方の横軸材１１寄りにかつ横軸材１１との間にベルト挿通孔２１を隔てて一体的に設けられたベルト係止軸材２２を含んで構成されている。ベルト係止軸材２２は、断面矩形形状に形成されている。
【００２２】
第２ベルト係止部３０は、枠体１０の２本の縦軸材１３，１４の略中央部間に一体的に設けられ長さ調節用ベルト２を巻回させて枠体１０の裏面側に折り返すベルト巻回軸材３１と、このベルト巻回軸材３１にベルト挿通孔３２を隔てて近傍した位置において、２本の縦軸材１３，１４間に一体的に設けられ長さ調節用ベルト２の折り返し部に当接して屈曲させる当接軸材３３とを含んで構成されている。
ベルト巻回軸材３１は、表面が２本の縦軸材１３，１４の表面側形状に沿った弧状で、裏面側に三角形の突起部を有する断面５角形に形成されている。当接軸材３３は、表面側がベルト巻回軸材３１および他方の横軸材１２の表面側より裏面側に位置されているとともに、枠体１０の他方の横軸材１２に対向する面が、枠体１０の表面側から裏面側に向かうに従って枠体１０の一方の横軸材１１側に傾斜する傾斜面３３Ａに形成されている。この傾斜面を含んでガイド部が構成されている。
【００２３】
指掛部４０は、当接軸材３３よりも他方の横軸材１２側に形成されている。本実施形態では、当接軸材３３および他方の横軸材１２を含んで構成されている。指掛部４０には、当接軸材３３と他方の横軸材１２との間でかつこれらの軸材３３，１２の長手方向略中央位置に、枠体１０の表面側から裏面側に貫通する貫通孔４１が形成されている。
貫通孔４１は、枠体１０の縦軸材１３，１４側の両端から中央に向かうに従って枠体１０の縦軸材１３，１４方向の寸法が次第に大きくなる形状、ここでは、三角形状に形成されている。そのため、貫通孔４１を囲む当接軸材３３および他方の横軸材１２からなる形状も略三角形に構成されている。
【００２４】
＜使用方法＞
まず、固定用ベルト１を第１ベルト係止部に挿通係止する。すなわち、図７に示すように、固定用ベルト１を、横軸材１１とベルト係止軸材２２との間のベルト挿通孔２１を通して裏面側から表面側に引き出し、続いて、ベルト係止軸材２２に巻回させて裏面側に引き出したのち、鋲着または縫着により固定する。
【００２５】
一方、長さ調節用ベルト２を、第２ベルト係止部３０のベルト巻回軸材３１に旋回させて枠体１０の裏面側に折り返し、その折り返し先端を長さ調節用ベルト２に沿って同方向へ引き出す。すなわち、図７に示すように、長さ調節用ベルト２を、ベルト係止軸材２２とベルト巻回軸材３１との間を通して裏面側から表面側に引き出し、続いて、ベルト巻回軸材３１に巻回させて、ベルト巻回軸材３１と当接軸材３３との間のベルト挿通孔３２を通して裏面側に引き出した後、当接軸材３３で折り返して長さ調節用ベルト２に沿わせる。
【００２６】
この状態においては、長さ調節用ベルト２は、ベルト巻回軸材３１の表面側の２つの角部で略直角に屈曲され、さらに、当接軸材３３の裏面側の角部で直角に屈曲された状態にあるから、引っ張り方向に対して大きな抵抗が発生している。このため、固定用ベルト１あるいは長さ調節用ベルト２の長手方向に張力が掛かっても、長さ調節用ベルト２の緩みが阻止される。
【００２７】
長さ調節用ベルト２の長さを調節するには、指（通常は親指と人指指）で指掛部４０を摘み、枠体１０を一方の横軸材１１側を支点として枠体１０の表面側に回転させる。
この際、図８に示すように、親指と人差指とで指掛部４０を摘むと、例えば、親指で指掛部４０の表面側を、人差指で指掛部４０の裏面側を摘むと、指掛部４０の表面側においては、親指が、ベルト巻回軸材３１と他方の横軸材１２の間に位置した状態において、その指（親指）の腹が当接軸材３３および貫通孔４１の表面側に当接する。
【００２８】
このとき、貫通孔４１は、両端から中央に向かうに従って縦軸材１３，１４方向の寸法が次第に大きくなる三角形状に形成されているから、貫通孔４１の片寄った位置を親指で摘んだとしても、摘んだときの親指の感覚から、貫通孔４１の片寄った位置を摘んだことを認識することができる。つまり、貫通孔４１の形状が、指を貫通孔４１の中心へ促すガイド部を構成しているから、貫通孔４１の片寄った位置を指で摘んだまま、枠体１０を傾いて回転させるようなことを防止できる。
【００２９】
一方、指掛部４０の裏面側においては、人差指が、枠体１０の他方の横軸材１２の裏面側に接触する。このとき、横軸材１２の裏面側が、両端から裏面側中央に向かうに従って枠体１０の表面側に向かって湾曲する湾曲面１２Ａによって形成されているから、人差指は湾曲面１２Ａによって枠体１０の中央位置、つまり、貫通孔４１の中心に案内される。しかも、他方の横軸材１２に対向する当接軸材３３の対向面が、枠体１０の表面側から裏面側に向かうに従って一方の横軸材１１側に傾斜する傾斜面３３Ａに形成されているから、人差指は、当接軸材３３の傾斜面３３Ａによって奥まで挿入される。
【００３０】
このようにして、親指と人差指とで指掛部４０を摘んだのち、枠体１０を一方の横軸材１１側を支点として枠体１０の表面側に回転させると、つまり、図９の矢印方向（時計方向）に回転させると、当接軸材３３によって略直角に屈曲されていた長さ調節用ベルト２の屈曲角度が大きくなるので（鈍角になるので）、つまり、引っ張り抵抗が小さくなるので、この状態において、長さ調節用ベルト２を引っ張れば、任意の長さに調節できる。
【００３１】
＜実施形態の効果＞
（１）指掛部４０に貫通孔４１を設けたので、親指と人差指とで指掛部４０を摘んだとき、これら２本の指の腹が貫通孔４１に位置するため、摘みやすい。
【００３２】
（２）貫通孔４１に指を案内するガイド部が、枠体１０の裏面側に設けられているから、枠体１０が傾いて回転することがなく、軽い力で回転させることができる。通常、親指と人差指とで指掛部４０を摘んで枠体１０を表面側に回転させる際、枠体１０の裏面側に挿入される指が枠体１０を引き起こす役目を果たす。本実施形態では、枠体１０の裏面側に挿入される指が貫通孔４１の適正位置に位置されるため、枠体１０が傾いて回転することもなく、軽い力で回転させることができる。
【００３３】
（３）ガイド部は、枠体１０の他方の横軸材１２に、裏面側両端から裏面側中央に向かうに従って枠体１０の表面側に向かって湾曲する湾曲面１２Ａによって形成されているから、親指と人差指とで指掛部４０を摘む際、枠体１０の裏面側に挿入される指が湾曲面１２Ａによって枠体１０の中央、つまり、貫通孔４１の中央に位置されるから、枠体１０を傾くことなく回転させることができる。
【００３４】
（４）貫通孔４１が、両端から中央に向かうに従って枠体１０の縦軸材１３，１４方向の寸法が次第に大きくなる三角形状に形成されているから、貫通孔４１の片寄った位置を指で摘んだとしても、摘んだときの指の感覚から、貫通孔４１の片寄った位置を摘んだことを認識させることができる。従って、貫通孔４１の片寄った位置を指で摘んだまま、枠体１０を傾いて回転させるようなことを防止できる。
【００３５】
（５）貫通孔４１を囲む他方の横軸材１２および当接軸材３３からなる形状が略三角形であるから、つまり、トラス構造であるから、構造的にも変形が少なく、強い構造にできる。
長さ調節用ベルト２を第２ベルト係止部３０のベルト巻回軸材３１に旋回させて枠体１０の裏面側に折り返し、その折り返し先端を長さ調節用ベルト２に沿って同方向へ引き出し、その折り返し部に当接軸材３３が当接した状態においては、固定用ベルト１あるいは長さ調節用ベルト２の長手方向に張力が掛かると、当接軸材３３にも大きな負荷が働くが、本発明では、構造的に強い構造であるから、変形や破損を回避できる。
【００３６】
（６）親指と人差指とで指掛部４０を摘む際、枠体１０の表面側に当てる指を、ベルト巻回軸材３１および他方の横軸材１２の間に位置させると、その指の腹が当接軸材３３の表面側に当接するとともに、貫通孔４１に位置するため、指が適正な位置にガイドされるとともに、回転時の指の位置ずれを防止できる。
【００３７】
＜変形例＞
本発明は前述の実施形態に限定されるものではなく、本発明の目的を達成できる範囲での変形、改良等は本発明に含まれる。
前記実施形態では、第１ベルト係止部２０を、横軸材１１との間にベルト挿通孔２１を隔てて２本の縦軸材１３，１４間に一体的に掛け渡したベルト係止軸材２２を含んで構成したが、これに限らず、他の構成でもよい。例えば、横軸材１１を幅広の部材で構成し、この部材に固定用ベルト１を挿通係止する孔を設けて構成してもよい。
【００３８】
前記実施形態では、枠体１０を構成する横軸材１２を両端から中央に向かうに従って枠体１０の外方へ突出する形状（枠体１０の形状として五角形形状）に形成し、これとベルト巻回軸材３１とを含んで指掛部４０を構成したが、横軸材１２と一体的に指掛部４０を突出成形し、この指掛部４０に貫通孔４１を形成するとともに、前記指掛部４０に貫通孔４１に指を案内するガイド部を形成してもよい。
【００３９】
前記実施形態では、指掛部４０に形成する貫通孔４１を三角形状としたが、これに限らず、他の形状でもよい。例えば、丸や菱形形状でもよい。
【産業上の利用可能性】
【００４０】
本発明は、鞄やサスペンダーなどにおいて、２本のベルトを互いに結合するとともに、一方のベルトを長さ調節可能に係止するベルト調節具に利用できる。
【図面の簡単な説明】
【００４１】
【図１】本実施形態のベルト調節具を示す斜視図。
【図２】前記実施形態のベルト調節具の正面図。
【図３】前記実施形態のベルト調節具の平面図。
【図４】前記実施形態のベルト調節具の底面図。
【図５】前記実施形態のベルト調節具の側面図。
【図６】図２のVI−VI線断面図。
【図７】図６の図にベルトを取り付けた状態を示す断面図。
【図８】ベルトの長さを調整する前の状態を示す図。
【図９】ベルトの長さ調整にあたって回転させた際の断面図。
【図１０】従来のベルト調節具の平面図。
【図１１】図１０のXI−XI線断面図。
【符号の説明】
【００４２】
１…固定用ベルト（第１のベルト）、２…長さ調節用ベルト（第２のベルト）、１０…枠体、１１，１２…横軸材、１２Ａ…湾曲面（ガイド部）、１３，１４…縦軸材、２０…第１ベルト係止部、２２…ベルト係止軸材、３０…第２ベルト係止部、３１…ベルト巻回軸材、３３…当接軸材、３３Ａ…傾斜面（ガイド部）、４０…指掛部、４１…貫通孔。
【図１】
0004674132.tif 000002
【図２】
0004674132.tif 000003
【図３】
0004674132.tif 000004
【図４】
0004674132.tif 000005
【図５】
0004674132.tif 000006
【図６】
0004674132.tif 000007
【図７】
0004674132.tif 000008
【図８】
0004674132.tif 000009
【図９】
0004674132.tif 000010
【図１０】
0004674132.tif 000011
【図１１】
0004674132.tif 000012